(57)【要約】【課題】  外掛け式タッチスクリーンの提供。【解決手段】  タッチパネルとコントローラを具え、該タッチパネルが透明材料で形成され、該タッチパネル及びコントローラの間が信号伝送線で電気的に接続され、該コントローラに別にデータ伝送線が設けられ、該データ伝送線がディスプレイを具えたコンピュータに接続され、該タッチパネルの側縁に長方形のフレームが設置され、該フレームの内側縁がタッチパネルより小さく、その外側縁がディスプレイのスクリーン前カバーに対応し、以上の構造により、該フレームを利用してタッチパネルをディスプレイのスクリーンの前に架設でき、ディスプレイにタッチパネルの機能を具備させると共にスクリーン保護の作用を発生し、並びに随時取り付け、取り外しでき、経済的で機動性を具えている。【選択図】        図１
0003104271.tif 000002
【実用新案登録請求の範囲】
【請求項１】
タッチパネルとコントローラを具え、該タッチパネルが透明材料で形成され、該タッチパネル及びコントローラの間が信号伝送線で電気的に接続され、該コントローラに別にデータ伝送線が設けられ、該データ伝送線がディスプレイを具えたコンピュータに接続された外掛け式タッチスクリーンにおいて、
該タッチパネルの側縁に長方形のフレームが設置され、該フレームの内側縁がタッチパネルより小さく、その外側縁がディスプレイのスクリーン前カバーに対応し、該フレームを利用してタッチパネルをディスプレイのスクリーン前カバーに掛けることができ、任意のディスプレイにタッチスクリーンの機能を簡単に具備させることができることを特徴とする、外掛け式タッチスクリーン。
【考案の詳細な説明】
【技術分野】
【０００１】
本考案は外掛け式タッチスクリーンに係り、特に、コンピュータのディスプレイに簡単にタッチスクリーンの機能を具備させることができ、且つスクリーン保護の作用を発生し、並びに随時取り付け、取り外し可能で、経済的で機動性を具えた外掛け式タッチスクリーンに関する。
【背景技術】
【０００２】
現在のコンピュータオペレーションシステムは非常に精密に製作され、マンマシンインタフェースの間の相互動作もまたパーソナライズされている。一般家庭中のコンピュータはいわゆるパソコンと称され、一部のパソコンは、コンピュータ、ディスプレイ、キーボード及びマウス等の基本配備を具え、そのうち、ディスプレイはコンピュータの主要なデータ出力インタフェースであり、キーボード及びマウスはコンピュータの主要な入力インタフェースである。現在のコンピュータ操作方式は、ほぼマウスでキーボードの機能を代行できるが、マウスは平坦で広い位置で操作する必要があり、このため使用上不便なところがある。
【０００３】
上述のマウスの欠点を鑑み、タッチスクリーンを具えたディスプレイが発展した。タッチスクリーンの応用は非常に広く、例えば旅客案内システム、自動販売機、販売末端機、工業制御システム等がある。タッチスクリーンは通常ＲＳ−２３２、ＰＳ／２、及びＵＳＢインタフェースを具え、使用者がタッチスクリーンとコンピュータを接続するのに便利とされ、タッチスクリーンは画像表示のほか、マウスの操作を模擬でき、使用者はただタッチスクリーン上でクリックするだけで、マウスを同様の位置でクリックしたのと同じ操作を行なえ、ゆえに最近は非常に多くのシステム開発者がプログラム構造をタッチスクリーン用に開発しており、これにより無人のインタラクティブシステム中にあってキーボード及びマウスの空間が省略されている。タッチスクリーンはゲスト案内システム及び自動教育システムに最も適用し、それは、使用者が固定されたキーを押すように制限できるためである。
【０００４】
ただし、周知のタッチスクリーンを具えたディスプレイはいずれもビルトイン式であり、それはタッチパネルを液晶ディスプレイ（ＬＣＤ）の表面に貼り付けてタッチコントロール機能を具えたタッチスクリーンとし、その後、さらにこのタッチスクリーンをディスプレイのケース内に設置している。コンピュータ使用者がタッチコントロール機能のディスプレイを使用する必要がある場合は、金銭と資源の浪費を形成する。別のタッチスクリーンの改装方式は、プロの技術者に頼んでディスプレイ７のスクリーン前カバー７１と液晶パネルを分離し（図４）、さらに高電圧絶縁背部接着片７３でタッチパネル１を液晶ディスプレイ（ＬＣＤ）のスクリーン７２表面に貼り付け、並びにディスプレイ７内部に制御回路を取り付け、その後、さらに各ディスプレイメーカーのプロのリクエスト事項により順に組立直す必要があり、組立が困難で、このため販売者及び使用者に極めて大きな問題をもたらした。
【考案の開示】
【考案が解決しようとする課題】
【０００５】
本考案の主要な目的は、簡単にコンピュータのディスプレイにタッチスクリーンの機能を具備させることができ、且つスクリーン保護の作用を発生し、並びに随時取り付け、取り外しでき、簡単に取り付けられ機動性を有する効果を達成できる、一種の外掛け式タッチスクリーンを提供することにある。
【課題を解決するための手段】
【０００６】
請求項１の考案は、タッチパネルとコントローラを具え、該タッチパネルが透明材料で形成され、該タッチパネル及びコントローラの間が信号伝送線で電気的に接続され、該コントローラに別にデータ伝送線が設けられ、該データ伝送線がディスプレイを具えたコンピュータに接続された外掛け式タッチスクリーンにおいて、
該タッチパネルの側縁に長方形のフレームが設置され、該フレームの内側縁がタッチパネルより小さく、その外側縁がディスプレイのスクリーン前カバーに対応し、該フレームを利用してタッチパネルをディスプレイのスクリーン前カバーに掛けることができ、任意のディスプレイにタッチスクリーンの機能を簡単に具備させることができることを特徴とする、外掛け式タッチスクリーンとしている。
【考案の効果】
【０００７】
本考案の外掛け式タッチスクリーンは、簡単にコンピュータのディスプレイにタッチスクリーンの機能を具備させることができ、且つスクリーン保護の作用を発生し、並びに随時取り付け、取り外しでき、簡単に取り付けられ機動性を有する効果を達成できる。
【考案を実施するための最良の形態】
【０００８】
本考案の外掛け式タッチスクリーンは、タッチパネルとコントローラを具え、該タッチパネルが透明材料で形成され、該タッチパネル及びコントローラの間が信号伝送線で電気的に接続され、該コントローラに別にデータ伝送線が設けられ、該データ伝送線がディスプレイを具えたコンピュータに接続され、該タッチパネルの側縁に長方形のフレームが設置され、該フレームの内側縁がタッチパネルより小さく、その外側縁がディスプレイのスクリーン前カバーに対応する。
【０００９】
以上の構造により、本考案の外掛け式タッチスクリーンは、そのうちのフレームを利用してタッチパネルをディスプレイのスクリーンの前に架設でき、ディスプレイにタッチパネルの機能を具備させると共にスクリーン保護の作用を発生し、並びに随時取り付け、取り外しでき、これにより使用者に機動的に組合せ使用でき、経済的な機能を提供する。
【実施例１】
【００１０】
図１、２、３に示されるように、本考案の外掛け式タッチスクリーンは、タッチパネル１とコントローラ３を具え、該タッチパネル１が透明材料で形成され、該タッチパネル１の側縁に信号伝送線４が設けられ、該信号伝送線４はコントローラ３に電気的に接続され、該コントローラ３にデータ伝送線６が設けられ、該データ伝送線６はディスプレイ７を具えたコンピュータ８に接続されている。本考案の特徴は以下のとおりである。
【００１１】
該タッチパネル１の側縁に長方形のフレーム２が設置され、該フレーム２の内側縁がタッチパネル１より小さく、その外側縁がディスプレイ７のスクリーン前カバー７１に対応する。
【００１２】
以上の構造により、本考案の外掛け式タッチスクリーンの外形は一般のディスプレイに使用される眼の保護用ガードに類似し、該フレーム２は異なるメーカー及びサイズのコンピュータディスプレイのスクリーン前カバー７１に掛けることができ、タッチパネル１をスクリーン７２の前方に配置させることができ、その後、信号伝送線４でタッチパネル１とコントローラ３を接続し、さらにコントローラ３のデータ伝送線６とコンピュータ８を接続すれば、全体の取り付け過程が慣性する。
【００１３】
上述したように、本考案の外掛け式タッチスクリーンの取り付け過程は簡単迅速であり、そのタッチパネルの位置は簡単に調整でき、任意の種類のディスプレイに簡単にタッチスクリーンの機能を具備させることができ、使用者が手指で直接タッチパネルを押圧することで、情報をコンピュータに入力でき、一般のマウス或いはキーボードよりも直接的で便利であり、且つスクリーン保護の作用を発生し、並びに随時取り付け、取り外しでき、経済的で機動的に使用できる効果を有する。
【００１４】
総合すると、本考案の外掛け式タッチスクリーンは確実に、随時取り付け、取り外しでき、経済的で機動的に使用できる効果を有し、実用性、新規性及び進歩性を具えている。
【図面の簡単な説明】
【００１５】
【図１】本考案の立体分解図である。
【図２】本考案の立体組合せ図である。
【図３】本考案の実施例図である。
【図４】周知のタッチスクリーンの取り付け表示図である。
【符号の説明】
【００１６】
１  タッチパネル            ２  フレーム
３  コントローラ            ４  信号伝送線
６  データ伝送線            ７  ディスプレイ
８  コンピュータ            ７１  スクリーン前カバー
７２  スクリーン            ７３  背部接着片
【図１】
0003104271.tif 000003
【図２】
0003104271.tif 000004
【図３】
0003104271.tif 000005
【図４】
0003104271.tif 000006